【事件の表示】
　平成８年特許願第２１８２３２号「電動草刈機」拒絶査定不服審判事件〔平成１０年３月３日出願公開、特開平１０−５６８４５〕について、次のとおり審決する。
【結　論】
　本件審判の請求は、成り立たない。
【理　由】
１．手続の経緯
　本願は、平成８年８月２０日の出願であって、平成１７年４月１３日付けで拒絶査定がなされ、これに対し同年５月９日付けで拒絶査定不服審判の請求とともに手続補正がなされたものである。
　　　　　　　　　　　　　　　　　　　　
２．平成１７年５月９日付けの手続補正についての補正却下の決定
［補正却下の決定の結論］
　平成１７年５月９日付けの手続補正を却下する。
［理由］
（１）補正の内容
　平成１７年５月９日付けの手続補正の内容は、特許請求の範囲の請求項１を、
「長尺状の操作桿の先端部に刈刃を配置し、この刈刃を電動モータ及びバッテリーからなる駆動部によって駆動するようにした、駆動部を操作桿の基端側に配置し、前記刈刃と電動モータをドライブシャフトで連結する人力操作用の電動草刈機であって、
　前記操作桿の前方寄り下方には支持部材が設けられ、前記操作桿の基軸側の駆動部の下方には脚部が設けられ、これら支持部材と脚部とを地面に接触させて置いた状態で、前記刈刃と駆動部は地面から離れることを特徴とする電動草刈機。」
から、
「長尺状の操作桿の先端部に刈刃を配置し、この刈刃を電動モータ及びバッテリーからなる駆動部によって駆動するようにし、駆動部を操作桿の基端側に配置し、前記刈刃と電動モータをドライブシャフトで連結する人力操作用の電動草刈機であって、
　前記電動モータは駆動部の前方側上部に配設され、前記バッテリーは電動モータの振動の影響の少ない駆動部の後方下部のバッテリーケース内に収納されていることを特徴とする電動草刈機。」
と補正することを含むものである。
　　　　　　　　　　　　　　　　　　　　　　　　　　　
（２）補正の適否
　そこで、上記補正について検討すると、
　補正前の請求項１に係る発明の特定事項である、
「前記操作桿の前方寄り下方には支持部材が設けられ、前記操作桿の基軸側の駆動部の下方には脚部が設けられ、これら支持部材と脚部とを地面に接触させて置いた状態で、前記刈刃と駆動部は地面から離れること」
が、削除されており、当該手続補正は、特許法第１７条の２第４項各号に規定するいずれかの事項を目的とするものとはいえない。 
 　 
　したがって、本件手続補正は、特許法第１７条の２第４項の規定に違反するものであるから、同法第１５９条第１項において読み替えて準用する同法第５３条第１項の規定により却下すべきものである。 
　　　　　　　　　　　　　　
３．本願発明について
（１）本願発明
　平成１７年５月９日付けの手続補正は上記のとおり却下されたので、本願の請求項１に係る発明は、平成１７年１月１９日付けの手続補正書の請求項１に記載された事項により特定される、次のものである。
「長尺状の操作桿の先端部に刈刃を配置し、この刈刃を電動モータ及びバッテリーからなる駆動部によって駆動するようにした、駆動部を操作桿の基端側に配置し、前記刈刃と電動モータをドライブシャフトで連結する人力操作用の電動草刈機であって、
　前記操作桿の前方寄り下方には支持部材が設けられ、前記操作桿の基軸側の駆動部の下方には脚部が設けられ、これら支持部材と脚部とを地面に接触させて置いた状態で、前記刈刃と駆動部は地面から離れることを特徴とする電動草刈機。」
（以下、「本願発明」という。）
　　　　　　　　　　
（２）引用刊行物の記載事項
　原査定の拒絶の理由に引用された刊行物である、特開平７−８０７３号公報(以下、「引用例１」という。)には、「作業装置」に関して、以下の技術事項が図面とともに記載されている。
　(イ)「【０００１】【産業上の利用分野】本発明は、作業服や作業帽子及び背負い枠等の作業員が身に付けるものの表面にソーラセル（太陽電池）を装着し、このソーラセルによって変換された電気エネルギによって草刈機や刈取機等の作業機を動作させるようにした作業装置に関する。」
　(ロ)「【００１０】【実施例】以下、本発明の実施例の詳細を図面に基づいて説明する。図１は、本発明の作業装置の一実施例を示すもので、作業員が身に付けるべきものとしてのたとえば作業服１及び作業帽子２にはソーラセル３が装着されている。各作業服１及び作業帽子２のソーラセル３によって変換された電気エネルギは作業員の腰に取付けられた蓄電器４に貯えられるようになっている。なお、蓄電器４は後述する駆動モータ８の定格電圧に見合った電圧を保持する容量とされている。」
　(ハ)「【００１２】シャフト７の後端部には蓄電器４からの電力によって駆動する駆動モータ８が取付けられている。また、シャフト７の中心部から後方に寄った位置には、グリップ部１０を有したＵ字形ハンドル９が取付けられている。更に、シャフト７の先端部には、回転刃１１を有した刈刃部１２が取付けられている。なお、ハンドルに関しては、この例のようなＵ字形ハンドル９に限らずシャフト７にグリップを設けたものであってもよい。【００１３】図２は、上記の草刈機６の内部構造を示すもので、駆動モータ８には蓄電器４からの略一定の電力が供給されるコード１３が接続されている。また駆動モータ８には、電磁コイル部１４が内蔵されており、電磁コイル部１４による駆動力はシャフト７内に設けられた伝動軸１５を介して刈刃部１２に伝達されるようになっている。」
　　　　　　　　　　　　　　　
　上記技術事項を含む引用例１全体の記載及び図面によれば、引用例１には次の発明が記載されているものと認める。かっこ内は対応する引用例１における構成・用語である。
「長尺状の操作桿(シャフト７)の先端部に刈刃(回転刃１１)を配置し、この刈刃を電動モータ(駆動モータ８)及びバッテリー(蓄電器４)からなる駆動部によって駆動するようにした、駆動部のうちの電動モータを操作桿の基端側(後端部)に配置し、前記刈刃と電動モータをドライブシャフト(伝動軸１５)で連結する人力操作用の電動草刈機。」
（以下、「引用例１発明」という。）
　　　　　　　　　　　　
　同じく原査定の拒絶の理由に周知例として引用された、本願出願前に頒布された刊行物である特開平５−２５３０９７号公報（以下、「引用例２」という。）及び特開平５−３００８４９号公報（以下、「引用例３」という。）には、次の周知技術が記載されているものと認める。
「携帯型電動機器において、電動モータとバッテリーを一体に配設すること。」
(以下、「周知技術１」という。)
　　　　　　　　
　同じく原査定時に周知例として引用された、本願出願前に頒布された刊行物である実公昭３８−４９２８号公報（以下、「引用例４」という。）及び実願昭５２−６５９３７号（実開昭５３−１６０５２９号）のマイクロフィルム（以下、「引用例５」という。）には、次の周知技術が記載されているものと認める。
「人力操作用の動力草刈機において、操作桿の前方寄り下方に支持部材を設け、操作桿の基軸側の駆動部の下方に脚部を設け、これら支持部材と脚部とを地面に接触させて置いた状態で、前記刈刃と駆動部は地面から離れるようなすこと。」
(以下、「周知技術２」という。)
　　　　　　　　　　　
（３）対比・判断
　本願発明と引用例１発明を比較すると、両者は、
「長尺状の操作桿の先端部に刈刃を配置し、この刈刃を電動モータ及びバッテリーからなる駆動部によって駆動するようにした、駆動部のうちの電動モータを操作桿の基端側に配置し、前記刈刃と電動モータをドライブシャフトで連結する人力操作用の電動草刈機。」
である点で一致し、以下の点で相違する。
　　　　　　　　　　　　　　
　相違点１：本願発明では、電動モータ及びバッテリーを操作桿の基端側に配置しているのに対し、引用例１発明では、電動モータのみを操作桿の基端側に配置している点。
　相違点２：本願発明では、操作桿の前方寄り下方には支持部材が設けられ、操作桿の基軸側の駆動部の下方には脚部が設けられ、これら支持部材と脚部とを地面に接触させて置いた状態で、刈刃と駆動部は地面から離れるようにしているのに対し、引用例１発明には、そもそも支持部材や脚部が存在しない点。
　　　　　
　相違点１について検討するに、上記周知技術１のように、携帯型電動機器において電動モータとバッテリーを一体に配設することは、一般に行われていたことであり、引用例１発明において、電動モータに加えてバッテリーも操作桿の基端側に配置することは当業者が容易になし得る設計事項にすぎないものといえる。
　　　　　　　　　　　　　　
　相違点２について検討するに、上記周知技術２のように、人力操作用の動力草刈機において、操作桿の前方寄り下方に支持部材を設け、操作桿の基軸側の駆動部の下方に脚部を設け、これら支持部材と脚部とを地面に接触させて置いた状態で、前記刈刃と駆動部は地面から離れるようなすことは、従来行われていたことであり、この周知技術２を引用例１発明に適用して相違点２に係る本願発明の構成とすることは、当業者が容易になし得る事項にすぎないものといえる。
　　
　そして、本願発明の有する効果も、引用例１発明および各周知技術の有する効果以上に格別のものとはいえない。
　よって、本願発明は、引用例１発明および各周知技術に基づいて当業者が容易になし得たものと認める。
　　　　　　　　　
（４）むすび
　以上のとおり、本願発明は、特許法第２９条第２項の規定により特許を受けることができないから、本願は、拒絶すべきものである。
　よって、結論のとおり審決する。